(57)【要約】【課題】多機能電話機の運用を中断することなく、指定した一部システムデータだけを初期化する多機能電話機を提供する。【解決手段】データメモリ６に１乃至複数の各サービス項目の動作モードを規定するシステムデータ６ａ１，６ａ２，・・・，６ａｎを内線電話機２０１，２０２，・・・、ごとに記憶し、一方、前記サービス項目ごとに細分化したＲＯＭ５のシステムフォルダ５ａ１，５ａ２，・・・，５ａｎに、各サービス項目のシステムデータ初期値とデータメモリ６のシステムデータを初期化する初期化プログラムとを格納し、いずれかの内線電話機のサービス初期化ボタン２３ｃ及び／又はテンキー２２からの特番操作で表示部２１に表示された選択メニュー画面からサービス項目をメニュー選択／決定ボタン２３ｅ／２３ｆで選択して、該サービス項目に該当のシステムフォルダの初期化プログラムをＲＯＭ５から読み出し、該当のシステムデータのみを初期化する。【選択図】図１
2006352439.tif 000002
【特許請求の範囲】
【請求項１】
１乃至複数の内線電話機を備え、各内線電話機ごとに１乃至複数のサービス項目を任意に選択して実行することが可能な多機能電話機であって、各サービス項目それぞれに関する動作モードを規定するシステムデータを、対応するサービス項目ごとに記憶するデータメモリを備え、該データメモリに記憶したシステムデータを任意の動作モードを規定する値に変更して書き替えることが可能であり、かつ、複数の前記サービス項目のいずれかを選択して実行する際に、当該サービス項目に該当する前記システムデータを前記データメモリから読み出して、読み出した当該システムデータが規定する動作モードに基づいて動作する多機能電話機において、それぞれのサービス項目の初期の動作モードを示すシステムデータの初期値と前記データメモリに記憶したシステムデータを初期化するための初期化プログラムとをシステムフォルダとして、前記サービス項目ごとにそれぞれ保存する記憶部を備え、ユーザが前記内線電話機から任意に選択した或るサービス項目を初期動作モードに復帰させることを指示した場合、初期動作モードへの復帰を指示されたサービス項目に該当するシステムデータの初期値と初期化プログラムとを前記記憶部の前記システムフォルダから読み出して、該初期化プログラムを実行することにより、初期動作モードへの復帰を指示されたサービス項目に該当するシステムデータを初期化して前記データメモリを書き替えることを特徴とする多機能電話機。
【請求項２】
前記内線電話機から初期動作モードへの復帰の旨を指示する手段として、サービス項目の初期化を指示する専用のサービス初期化ボタンが当該内線電話機に備えられていることを特徴とする請求項１に記載の多機能電話機。
【請求項３】
前記内線電話機から初期動作モードへの復帰の旨を指示する手段として、サービス項目の初期化を指示する特番としてあらかじめ割り当てられた特定の電話番号を用いることを特徴とする請求項１又は２に記載の多機能電話機。
【請求項４】
前記内線電話機から初期動作モードへの復帰を指示するサービス項目を指定する手段として、サービス項目指定用の機能ボタンが当該内線電話機に備えられていることを特徴とする請求項１乃至３のいずれかに記載の多機能電話機。
【請求項５】
前記内線電話機から初期動作モードへの復帰を指示するサービス項目を指定する手段として、サービス項目を選択するための選択メニュー画面を画面表示する表示部と、前記選択メニュー画面からいずれかのサービス項目を選択する選択ボタンと、選択したサービス項目の初期化を実行させるための指示を行う決定ボタンとが当該内線電話機に備えられていることを特徴とする請求項１乃至４のいずれかに記載の多機能電話機。
【請求項６】
前記内線電話機から初期動作モードへの復帰を指示するサービス項目を指定する手段として、初期化対象のサービス項目を指定する特番としてあらかじめ割り当てられた特定の電話番号を用いることを特徴とする請求項１乃至５のいずれかに記載の多機能電話機。
【請求項７】
前記内線電話機から初期動作モードへの復帰の指示を入力する際に、初期動作モードへの復帰を指示されたサービス項目の動作モードを規定する前記システムデータの内線電話機ごとに配置された各システムデータのうち、システムデータの初期化対象となる内線電話機を指定することができることを特徴とする請求項１乃至６のいずれかに記載の多機能電話機。
【請求項８】
内線電話機ごとに配置された各システムデータのうち、システムデータの初期化対象となる内線電話機を指定する場合、１乃至複数の内線電話機を指定することができることを特徴とする請求項７に記載の多機能電話機。
【請求項９】
多機能電話機として１乃至複数のサービス項目それぞれの動作モードを決定するためにデータメモリにそれぞれ記憶したシステムデータを初期値に設定するシステムデータ初期化方法であって、それぞれのサービス項目ごとの初期動作モードを示すシステムデータの初期値と前記データメモリに記憶した該システムデータを初期化するための初期化プログラムとをシステムフォルダとして、サービス項目ごとにそれぞれ保存し、ユーザが任意に選択した或るサービス項目を初期動作モードに復帰させることを指示した場合、初期動作モードへの復帰を指示されたサービス項目に該当するシステムデータの初期値と前記初期化プログラムとをシステムフォルダから取り出して、該初期化プログラムを実行することにより、初期動作モードへの復帰を指示されたサービス項目に該当するシステムデータを初期化することを特徴とするシステムデータ初期化方法。
【発明の詳細な説明】
【技術分野】
【０００１】
本発明は、多機能電話機及びシステムデータ初期化方法に関し、特に、多機能電話機の運用中に、システムデータの必要部分のみを初期値に設定することを可能にする多機能電話機及びシステムデータ初期化方法に関する。
【背景技術】
【０００２】
多機能電話機の分野においては、プロセッサを搭載することにより、種々多様なサービス機能を提供するようになってきている。即ち、多機能形電話機は、通常の電話通話機能の他に、豊富な各種の機能が付与されており、この各種機能を選択して実行するために、プロセッサを備え、更に、ディスプレイ表示部や、各種の機能ボタンを備えている。このように、プロセッサを用いてプログラム制御によるサービスを選択的に実行するためのデータは、システムデータとして、プロセッサからアクセス可能なデータメモリに書き込んでおくことが必要である。
【０００３】
従来は、特許文献１に示す特開平０３−２５９６９７号公報「ボタン電話装置」などに記載されているように、多機能電話機の設置時点で、その用途に応じて必要とするサービスを実行するためのそれぞれのシステムデータすべてを、専用のプログラムを用いてデータメモリへ一括して書き込みを行っていた。
【０００４】
しかる後、多機能電話機の使用環境の変化に応じて適宜サービスの実行形態を変更したい場合、システムデータの内容を変更することを可能としている。即ち、変更する手段として、使用者は特定の電話番号（特番）をダイヤルしたり、特定のボタン操作をすることにより、専用の書き込みプログラムを呼び出して、データメモリに記憶されているシステムデータの内容を変更したり、新たなサービスが開発されて提供される都度、システムデータの記録内容を追加登録したりするようにしている。
【０００５】
このように、多機能電話機の使用状況に応じて各種サービス項目の動作モードを変更して使用していた場合、或る特定のサービス項目についてのみ、初期の動作モードに復帰したいという場面に遭遇することが多い。この場合、当該サービス項目に関連するシステムデータを、変更していた状態から、再度、初期の状態に復帰することが必要であり、使用者は、マニュアルを参照しながらテンキーや操作ボタンを操作して、手入力で個々のシステムデータを初期値に書き替えるか、あるいは、特定の初期設定ボタンの操作により、システムデータ初期化プログラムを起動して、多機能電話機の設置時点で行った場合と同様に、システムデータのすべてを初期化することになる。
【０００６】
【特許文献１】特開平０３−２５９６９７号公報（第２頁、第４図）
【発明の開示】
【発明が解決しようとする課題】
【０００７】
従来の多機能電話機では、所望のシステムデータを初期値に復帰させたい場合、前述のように、使用者がマニュアルを参照しながら仕様に基づいてシステムデータの初期値を手入力により設定するか、あるいは、特定のボタン操作により、すべてのシステムデータを初期化することになる。
【０００８】
しかしながら、前者の方法では、使用者は、マニュアルを参照しながら機能ボタンやテンキーなどを誤りなく正しい手順で順次操作していく煩雑な手作業が必要となり、時間がかかるのみならず、操作ミスを犯すおそれがあり、一方、後者の方法では、初期化のために運用中の状態を一時中断することを強いられ、更に、初期化したくなかった他のシステムデータを初期値から元の状態に再度書き戻すという操作も必要であり、運用状態に復帰するまでに無駄な時間がかかるという欠点があった。
【０００９】
そこで、本発明の目的は、多機能電話機の運用を中断することなく、必要とする一部のシステムデータだけを簡便に初期値に復帰させることが可能な多機能電話機及びシステムデータ初期化方法を提供することにある。これにより、一部のシステムデータの初期化に伴う煩雑な作業や運用の一時中断を不要とすることができる。
【課題を解決するための手段】
【００１０】
前述の課題を解決するため、本発明による多機能電話機及びシステムデータ初期化方法は、次のような特徴的な構成を採用している。
【００１１】
（１）１乃至複数の内線電話機を備え、各内線電話機ごとに１乃至複数のサービス項目を任意に選択して実行することが可能な多機能電話機であって、各サービス項目それぞれに関する動作モードを規定するシステムデータを、対応するサービス項目ごとに記憶するデータメモリを備え、該データメモリに記憶したシステムデータを任意の動作モードを規定する値に変更して書き替えることが可能であり、かつ、複数の前記サービス項目のいずれかを選択して実行する際に、当該サービス項目に該当する前記システムデータを前記データメモリから読み出して、読み出した当該システムデータが規定する動作モードに基づいて動作する多機能電話機において、それぞれのサービス項目の初期の動作モードを示すシステムデータの初期値と前記データメモリに記憶したシステムデータを初期化するための初期化プログラムとをシステムフォルダとして、前記サービス項目ごとにそれぞれ保存する記憶部を備え、ユーザが前記内線電話機から任意に選択した或るサービス項目を初期動作モードに復帰させることを指示した場合、初期動作モードへの復帰を指示されたサービス項目に該当するシステムデータの初期値と初期化プログラムとを前記記憶部の前記システムフォルダから読み出して、該初期化プログラムを実行することにより、初期動作モードへの復帰を指示されたサービス項目に該当するシステムデータを初期化して前記データメモリを書き替える多機能電話機。
（２）前記内線電話機から初期動作モードへの復帰の旨を指示する手段として、サービス項目の初期化を指示する専用のサービス初期化ボタンが当該内線電話機に備えられている上記（１）の多機能電話機。
（３）前記内線電話機から初期動作モードへの復帰の旨を指示する手段として、サービス項目の初期化を指示する特番としてあらかじめ割り当てられた特定の電話番号を用いる上記（１）又は（２）の多機能電話機。
（４）前記内線電話機から初期動作モードへの復帰を指示するサービス項目を指定する手段として、サービス項目指定用の機能ボタンが当該内線電話機に備えられている上記（１）乃至（３）のいずれかの多機能電話機。
（５）前記内線電話機から初期動作モードへの復帰を指示するサービス項目を指定する手段として、サービス項目を選択するための選択メニュー画面を画面表示する表示部と、前記選択メニュー画面からいずれかのサービス項目を選択する選択ボタンと、選択したサービス項目の初期化を実行させるための指示を行う決定ボタンとが当該内線電話機に備えられている上記（１）乃至（４）のいずれかの多機能電話機。
（６）前記内線電話機から初期動作モードへの復帰を指示するサービス項目を指定する手段として、初期化対象のサービス項目を指定する特番としてあらかじめ割り当てられた特定の電話番号を用いる上記（１）乃至（５）のいずれかの多機能電話機。
（７）前記内線電話機から初期動作モードへの復帰の指示を入力する際に、初期動作モードへの復帰を指示されたサービス項目の動作モードを規定する前記システムデータの内線電話機ごとに配置された各システムデータのうち、システムデータの初期化対象となる内線電話機を指定することができる上記（１）乃至（６）のいずれかの多機能電話機。
（８）内線電話機ごとに配置された各システムデータのうち、システムデータの初期化対象となる内線電話機を指定する場合、１乃至複数の内線電話機を指定することができる上記（７）の多機能電話機。
（９）多機能電話機として１乃至複数のサービス項目それぞれの動作モードを決定するためにデータメモリにそれぞれ記憶したシステムデータを初期値に設定するシステムデータ初期化方法であって、それぞれのサービス項目ごとの初期動作モードを示すシステムデータの初期値と前記データメモリに記憶した該システムデータを初期化するための初期化プログラムとをシステムフォルダとして、サービス項目ごとにそれぞれ保存し、ユーザが任意に選択した或るサービス項目を初期動作モードに復帰させることを指示した場合、初期動作モードへの復帰を指示されたサービス項目に該当するシステムデータの初期値と前記初期化プログラムとをシステムフォルダから取り出して、該初期化プログラムを実行することにより、初期動作モードへの復帰を指示されたサービス項目に該当するシステムデータを初期化するシステムデータ初期化方法。
【発明の効果】
【００１２】
本発明の多機能電話機及びシステムデータ初期化方法によれば、以下のような効果を奏することができる。
【００１３】
システムデータの初期値を格納するシステムフォルダをサービス項目ごとに細かく分け、その一つ一つのシステムフォルダにそれぞれのサービス項目に該当するシステムデータを初期化するための初期化プログラムを配置し、データメモリに設定したシステムデータのうち、初期化したい対象のシステムデータを指定する操作を行うだけで、該当するシステムデータの初期値とその初期化プログラムとを、対応するシステムフォルダから呼び出して、該当する部分のシステムデータのみを自動的に初期化することができるので、多機能電話機の運用を中断することなく、必要とする一部のシステムデータだけを簡便に初期値に復帰させることが可能であり、システムデータの初期化に要する労力と時間とを大幅に低減することができる。
【００１４】
即ち、システムデータの初期値からの変更箇所をマニュアルを参照しながら人手で調査し、その変更箇所をいちいち手入力して初期状態に戻すという作業が不要であり、また、システムの再起動によりシステムデータすべてを初期化した後に初期化対象外のシステムデータを元の状態に再設定するために要する時間が不要となる。
【００１５】
また、内線電話機の機能ボタン操作又は特番ダイヤル操作を行うだけで、指定したサービス項目に該当するシステムデータのみを初期化する仕組みを用いることにより、きわめて簡便に、所望の一部システムデータのみを初期値に戻すことができる。
【００１６】
更に、或るシステムデータが初期化される対象となる内線電話機を指定することができる仕組みとして、１乃至複数の内線電話機を指定することも可能であるので、例えば内線グループを形成する複数の内線電話機全体のシステムデータを、一気に初期化することも可能であり、システムデータの初期化に要する時間や手間を更に削減することができる。
【発明を実施するための最良の形態】
【００１７】
以下、本発明による多機能電話機及びシステムデータ初期化方法の好適実施形態例について添付図を参照して説明する。
【００１８】
図１は、本発明による多機能電話機の一構成例を示すブロック図であり、データメモリ６内のシステムデータの構成及びＲＯＭ５内のシステムデータ初期化プログラムの構成を除いて、従来の多機能電話機の構成とほぼ同じ構成とすることができる。
【００１９】
図１に示す多機能電話機１０のブロック図において、通話信号を送受信する回路部として、外線１０１，１０２，・・・，１０ｌとのインタフェース装置である外線回路１及び内線電話機２０１，２０２，・・・２０ｋとのインタフェース装置である内線回路２は、通話路スイッチ３を介して接続されて、内線電話機同士又は内線電話機と外線との通話パスが形成される。また、多機能電話機１０の全体を制御するプロセッサとしてＣＰＵ（Central  Processor  Unit：中央処理装置）４がシステムバス７に接続されており、外線回路１、内線回路２、通話路スイッチ３に対する通話制御が適切に行われる。
【００２０】
更に、当該多機能電話機１０が提供することができるすべてのサービス項目の動作モードの初期状態を規定するシステムデータの初期値を格納しているＲＯＭ５と、当該多機能電話機１０に接続される内線電話機２０１，２０２，・・・２０ｋそれぞれに対するサービス機能を実現するための実行用のシステムデータを格納するデータメモリ６とが、システムバス７に接続されている。
【００２１】
ここで、ＲＯＭ５には、各サービス項目１，２，・・・，ｎ別に、それぞれ異なるシステムフォルダｉ  ５ａｉ（ｉ＝１，２，・・・，ｎ）にまとめられており、システムフォルダｉ  ５ａｉごとに各サービス項目に対応するシステムデータの初期値とそのサービス項目を実行するためにデータメモリ６に記憶されている実行用のシステムデータを初期化する初期化プログラムとが格納されており、システムフォルダ１  ５ａ１，２  ５ａ２，・・・，ｎ  ５ａｎのうち、いずれかのシステムフォルダ例えばシステムフォルダ１  ５ａ１を呼び出すと、呼び出したシステムフォルダ１  ５ａ１に対応した実行用のシステムデータを初期化する初期化プログラムが起動されて、データメモリ６に格納されているシステムデータｉ  ６ａｉ（i＝１，２，・・・，ｋ）のうち、システムフォルダ１  ５ａ１のサービス項目に対応するシステムデータのみを初期化することができる。
【００２２】
一方、データメモリ６に格納されているシステムデータ６ａｉ（i＝１，２，・・・，ｎ）は、ＲＯＭ５のシステムフォルダｉ  ５ａｉ（ｉ＝１，２，・・・，ｎ）にそれぞれ対応するサービス項目ごとに設けられたフォルダ内にそれぞれ格納されており、更に、各フォルダ内には、当該サービス項目について、内線電話機２０１，２０２，・・・２０ｋのそれぞれに個別に設定した動作モードを示す内線電話機ごとのシステムデータを内線番号によって索引できる形式にされて記憶している。
【００２３】
ここで、データメモリ６のシステムデータは、内線電話機ごとに、個別に各サービス項目の動作モードについて、初期の動作モードに設定することができるのみならず、使用環境の変化に応じて任意に指定した動作モードに設定することもできる。例えば、外線発信用のサービス項目として初期状態ではすべての内線電話機２０１，２０２，・・・，２０ｋが外線発信可能な状態に設定されていたとしても、使用者の使用環境の変化に応じて、内線電話機２０１については、外線発信不可の状態に変更して、データメモリ６の内線電話機２０１対応の外線発信サービス関連のシステムデータを更新することができる。
【００２４】
また、多機能電話機１０に接続される内線電話機２０１，２０２，・・・２０ｋには、それぞれの使用者への電話本来のインタフェースとして、電話相手番号などをディスプレイ表示する表示部２１、電話番号などを入力するためのテンキー２２、各種機能の実行を指示するための複数の機能ボタン（Ｆｕｎｃｔｉｏｎ  Ｋｅｙ）２３、電話機の状態を表示するための複数のＬＥＤランプ２４、送受話器であるハンドセット２５を少なくとも備えている。更に、電話本来の機能とは言えないが、本発明に関連するシステムデータの操作用の機能ボタン２３として、サービス表示ボタン２３ａ、サービス更新ボタン２３ｂ、サービス初期化ボタン２３ｃ、サービス削除ボタン２３ｄ、メニュー選択ボタン２３ｅ、決定ボタン２３ｆも少なくとも備えている。
【００２５】
内線電話機２０１，２０２，・・・２０ｋごとにそれぞれ設定登録されているサービス項目ごとの動作モードを確認する場合、使用者は、機能ボタン（Ｆｕｎｃｔｉｏｎ  Ｋｅｙ）２３のうち、サービス表示専用の機能ボタン即ちサービス表示ボタン２３ａを操作することにより、表示部２１に、当該内線電話機に設定されているサービス項目ごとの動作モードをディスプレイ表示することができる。
【００２６】
即ち、データメモリ６に設定登録されているシステムデータ６ａ１，６ａ２，・・・，６ａｎに含まれている当該内線電話機例えば内線電話機２０１に対応するシステムデータの内容が読み出されて、当該内線電話機２０１のそれぞれのシステムデータ６ａ１，６ａ２，・・・，６ａｎの値が示すサービス項目ごとの動作モードの文字列（例えば、前述の例では、「外線発信不可」などの文字列）に変換されてディスプレイ表示される。
【００２７】
なお、このサービス表示ボタン２３ａを操作することにより、当該内線電話機の表示部２１、テンキー２２、機能ボタン２３は、動作モード表示用として動作することになり、設定されているサービス項目の動作モードの概要や更に詳細な設定状況を表示部２１に表示させることができる。
【００２８】
表示部２１にディスプレイ表示されたサービス項目の動作モードを見て、そのいずれかのサービス項目の動作モードを変更したい場合は、機能ボタン２３のうち、動作モード更新専用の機能ボタン即ちサービス更新ボタン２３ｂを操作することにより、表示部２１に変更対象のサービス項目を選択する選択メニュー画面を表示し、メニュー選択ボタン２３ｅ及び決定ボタン２３ｆを操作して、変更対象のサービス項目を選択・決定して、そのサービス項目の動作モードを選択する選択メニュー画面の中から変更すべき動作モードをメニュー選択ボタン２３ｅで選んで決定ボタン２３ｆを操作することにより、当該サービス項目の動作モードを任意の内容に変更した状態に変更するように、対応するシステムデータを更新することができる。
【００２９】
なお、サービス項目の動作モードの変更及び対応するシステムデータの更新の操作は、斯かる選択メニュー画面を用いる代わりに、使用者が十分操作に熟練しているような場合にあっては、サービス項目ごとに対応して割り当てられている機能ボタン２３を直接操作したり、又は、サービス番号を示す特定の番号を特番としてテンキー２２から直接入力することにより、更新対象のサービスを選んで、しかる後、更に、その変更すべき動作モードも機能ボタン２３やテンキー２２から直接入力して、サービス項目の動作モードを任意の内容に変更することも可能である。
【００３０】
例えば、システムデータ６ａ１の内線電話機例えば内線電話機２０１に対応するシステムデータの内容を変更する場合、内線電話機２０１を用いて、変更対象のシステムデータ６ａ１が示すサービス項目に対応して割り当てられている機能ボタン２３の操作又はテンキー２２による特番の入力操作をすることにより、そのサービス項目の動作モードを表示部２１に表示する。
【００３１】
更に、そのサービス項目の動作モードの変更内容に対応して割り当てられている機能ボタン２３の操作又はテンキー２２による入力操作をし、表示部２１に表示された動作モードが所望の内容になったことを確認して、設定登録指示のための決定ボタン２３ｆを操作すると、データメモリ６に格納されているシステムデータ６ａ１，６ａ２，・・・，６ａｋのうち、選択されているシステムデータ６ａ１における内線電話機２０１に対応するシステムデータ６ａ１を変更した動作モードに書き換えて設定登録することができる。
【００３２】
なお、この動作モード更新専用の機能ボタン即ちサービス更新ボタン２３ｂを操作することにより、当該内線電話機の表示部２１、テンキー２２、機能ボタン２３は、いずれも、動作モード更新用として操作することができ、変更対象のサービス項目の選択メニュー表示やその選択メニューの中から所望するサービス項目を選択・決定したりすることができる。
【００３３】
また、サービス項目の動作モード即ちシステムデータを初期化するためのサービス初期化ボタン２３ｃを操作した場合も、サービス更新ボタン２３ｂと同様、当該内線電話機の表示部２１、テンキー２２、機能ボタン２３は、いずれも、サービス初期化用として操作することができ、初期化対象のサービス項目即ちシステムデータの選択メニュー表示やその選択メニューの中から所望するサービス項目即ちシステムデータを選択・決定したりすることができる。
【００３４】
また、本実施例では、データメモリ６に格納するシステムデータ６ａｉ（i＝１，２，・・・，ｋ）を、ＲＯＭ５におけるシステムフォルダに対応付けして、サービス項目ごとに異なるフォルダに分離して配置し、その中に該サービス項目内のシステムデータを内線電話機の番号順に配列する例を示しているが、本発明は斯かる場合のみに限るものではなく、場合によっては、当該多機能電話機１０に接続されている内線電話機２０１，２０２，・・・２０ｋのそれぞれに対応して異なるフォルダに分離して配置し、その各フォルダ内をＲＯＭ５におけるシステムフォルダに対応付けしてシステムデータ１，２，・・・，ｎと順次配列するようにしても良い。
【００３５】
後者のように配列した場合、内線電話機２０１，２０２，・・・２０ｋの動作モードごとにまとめて配置されているので、全内線電話機に対してサービス項目ごとにシステムデータを初期化したい場合においては、検索にやや難があるものの、或る内線電話機に設定されたサービス項目の動作モードを簡単に検索することができ、個々の内線電話機が通常の電話操作を行った場合に、迅速にサービスが許容されている操作か否かを判断することができる。
【００３６】
次に、図２を用いて、データメモリ６のシステムデータを初期化する動作について更に説明する。ここに、図２は、本発明による多機能電話機におけるシステムデータの初期化動作の一例を説明するための概念図である。
【００３７】
図２に示すように、ＲＯＭ５には、システムデータの初期値及び初期化プログラムが、サービス項目ごとに細分化されたシステムフォルダ１，２，３，・・・，ｎに分離して格納されている。一方、電話通話時に実際に用いられるサービス項目ごとの動作モードを規定するシステムデータを格納しているデータメモリ６には、ＲＯＭ５で細分化したサービス項目対応にそれぞれフォルダ１，２，３，・・・，ｎが設けられ、各フォルダ内に、内線電話機２０１，２０２，２０３，・・・，２０ｋごとのシステムデータが格納されている。
【００３８】
例えば、ＲＯＭ５のシステムフォルダ１（システムデータ１６−０１−＊＊（＊＊：内線電話機の番号）の初期値とシステムデータ１６−０１の初期化プログラムを格納）に対応するデータメモリ６のフォルダ１の場合、各内線電話機２０１，２０２，２０３，・・・，２０ｋごとにそれぞれの実行用のシステムデータ１６−０１を示すシステムデータ１１，１２，１３，・・・，１ｋが格納されている。
【００３９】
なお、図２にかっこ付きで示した数字は、システムデータの初期化動作の順番を示すステップ番号である。以下、このステップ番号の順に、初期化動作の各ステップを説明する。
【００４０】
最初の第１ステップとして、内線電話機２０１，２０２，２０３，・・・，２０ｋのいずれかの使用者が、システムデータのうち或るサービス項目に対応するシステムデータを初期化したい場合、当該内線電話機の機能ボタン２３の中のサービス初期化専用の機能ボタン即ちサービス初期化ボタン２３ｃを操作すると、ＣＰＵ４が、そのサービス初期化ボタン２３ｃの操作を内線回路２、システムバス７経由で受信して、各サービスに対応するシステムデータの初期化を実行するためのシステムデータ初期化制御部（図１のＲＯＭ５に格納されているプログラム）を起動する。なお、システムデータ初期化制御部は、ＲＯＭ５とは別個のプログラム専用メモリ（ＲＯＭやフラッシュメモリなどからなる）に格納するようにしても良い。
【００４１】
これにより、当該内線電話機の表示部２１、テンキー２２、機能ボタン２３は、サービス初期化用として機能するモードに切り替わり、表示部２１には初期化対象のサービス項目を選択するためのサービス選択メニューが表示される。第２ステップとして、使用者が、機能ボタン２３の中の選択用ボタン２３ｅを操作して、このサービス選択メニューの中から、初期化対象のサービス項目例えばサービス１６−０１を選択して、機能ボタン２３の中の決定ボタン２３ｆを操作すると、サービス１６−０１に対応するシステムデータ１６−０１に関するシステムフォルダ１を呼び出すようにＲＯＭ５へ要求する。
【００４２】
次の第３ステップとして、この要求を受け取ったＲＯＭ５からシステムデータ初期化制御部に対して、システムフォルダ１に格納されているシステムデータ１６−０１の内線電話機ごとの初期値とデータメモリ６上のシステムデータ１６−０１を初期化するための初期化プログラムとが読み込まれる。
【００４３】
次の第４ステップとして、システムデータ初期化制御部は、ＲＯＭ５から読み込んだシステムフォルダ１の初期化プログラムを起動することにより、データメモリ６に設定されている各種のシステムデータの中から、システムフォルダ１に対応するフォルダ１に格納されているシステムデータ１６−０１の設定内容を、ＲＯＭ５から読み込んだシステムデータ１６−０１の初期値によって、初期化する。この結果、該システムデータ１６−０１に対応するサービス項目は初期状態の動作モードに復帰することになる。
【００４４】
このように、多機能電話機として運用中の状態にあっても、使用者がサービス初期化ボタン２３ｃ、選択用ボタン２３ｅ、決定ボタン２３ｆを適宜操作することにより、使用者が選択したサービス項目例えばサービス１６−０１に対応するシステムデータ１６−０１のみを自動的に初期状態に復帰させることができ、かつ、選択していないサービス項目に対応するシステムデータは初期化されずに現在の設定状態をそのまま継続して保持しているので、運用状態を中断することなく、指定したシステムデータのみを初期状態に復帰させることができる。さらに、選択したサービス項目例えばサービス１６−０１に対応するシステムデータ１６−０１を自動的に初期化する初期化プログラムが動作することにより、使用者がマニュアルを参照しながらいちいち手作業で初期化する手間を不要とし、大幅に初期化作業時間を短縮することができる。
【００４５】
なお、或るサービス項目の初期動作モードへの復帰の指示即ちシステムデータの初期化の指示を、サービス初期化ボタン２３ｃの代わりに、初期化指示用としてあらかじめ割り当てられている特番（特殊な電話番号）をテンキー２２から入力するようにしても良い。更には、使用者が十分操作に熟練しているような場合には、サービス項目ごとに対応して割り当てられている機能ボタンを直接操作したり、又は、サービス項目を示す番号を特番としてテンキー２２から直接入力することにより、初期化対象のサービス項目を選んで、該サービス項目に対応するシステムデータを初期化することも可能である。
【００４６】
また、図２において、初期化する対象のシステムデータ１６−０１は、初期化を指示する使用者が使用している内線電話機例えば内線電話機２０１に対応するシステムデータ１１のみを指定することも可能であるし、更には、スーパバイザの権限を有する使用者などの場合であれば、他の内線電話機例えば内線電話機２０２を指定してそのシステムデータ１２を初期化することも可能であるし、あるいは、すべての内線電話機２０１，２０２，２０３，・・・，２０ｋや任意に選択した1乃至複数の内線電話機のシステムデータを指定したり、内線グループを形成している複数の内線電話機を指定して、各内線電話機に該当するシステムデータ１１，１２，１３，…を初期化することも可能である。
【００４７】
このように、或る１人の使用者による操作で複数の内線電話機のシステムデータをまとめて初期化することができることは、例えば新たなサービス項目の導入時に実施される通信システムの評価作業などにおいて極めて有効である。一般に、或る１つの通信システムを複数の試験者で使用して、システム評価を行おうとする場合、例えば、図３に示すように、試験者各自が使用する内線電話機２０１，２０２，２０３，・・・を各自専用の評価端末として用い、必要に応じて、多数の内線グループとして設定し、その内線グループに対して、種々の動作モードの設定を行ってシステム評価を行うのが通例である。
【００４８】
ここに、図３は、本発明による多機能電話機のシステムデータの一例を示す模式図であり、システム評価用に設定した内線グループの動作モードとして、内線電話機２０１に対しては内線代表呼び出し番号１２３４（動作モード番号「３」）を、内線電話機２０２に対しては内線代表番号への着信拒否（動作モード番号「５」）を、内線電話機２０３に対しては内線代表番号への着信の即時転送設定（動作モード番号「１５」）を、・・・などと、それぞれ別々の動作モードを選択して設定している例を示している。
【００４９】
しかし、評価項目によっては、通信システムに接続されているすべての内線電話機を同じ内線グループに設定して、同じように動作させる必要が生じる場合もある。即ち、図３の場合、システム評価用に設定した内線グループの動作モードを、試験者各自が使用する内線電話機２０１，２０２，２０３，・・・それぞれで異なった動作モードから、すべての内線電話機２０１，２０２，２０３，・・・に対して初期状態の「内線代表番号への着信許可（動作モード番号１）」に設定したい場合もある。
【００５０】
そのような場合でも、本発明による多機能電話機では、複数の内線電話機に対して一括して内線グループに関するシステムデータを初期化する指示を行うことが可能であり、通信システムの運用を継続したままの状態で、更には、内線番号や外線ルートや機能ボタン等の他の設定値を変更せずに、図３の内線グループのシステムデータの設定のみを初期値即ち「内線代表番号への着信許可（動作モード番号１）」の設定に戻すことができる。
【００５１】
このように、通信システム評価作業においても、すべての試験者の内線電話機について、評価対象の内線グループというサービス項目に対応するシステムデータのみを一括して初期状態に復帰させることが可能であるので、個々の内線電話機ごとにシステムデータを初期化する場合に比し、システム評価作業に要する労力と時間との無駄を更に省くことができる。
【００５２】
その理由は、各内線電話機ごとにシステムデータの変更箇所を人手で調査し、その変更点を手入力により初期値に戻す労力が不要となり、また、システムデータすべてを初期化すべく再起動して、しかる後、内線電話機ごとに初期化不要のその他のシステムデータを元の状態に再設定するために要する時間も不要となるからである。
【００５３】
なお、以上に説明した実施例においては、機能ボタン２３（サービス更新ボタン２３ｂやサービス初期化ボタン２３ｃやサービス削除ボタン２３ｄ）を操作することにより、サービス項目の動作モード即ちシステムデータを更新したり、初期化したり、削除する動作状態に移行する例を示したが、本発明は斯かる場合のみに限るものではない。例えば、このような機能ボタン２３の代わりに、テンキー２２からサービス項目の動作モード即ちシステムデータの更新、初期化、削除、表示などを指定する特番を入力する形態としても良いし、あるいは、システムデータの誤操作を防止するために、特番と機能ボタンとの組み合わせにより、システムデータの更新、初期化、削除、表示などの実行を可能にしたりしても良い。
【００５４】
以上、本発明の好適実施例の構成を説明した。しかし、斯かる実施例は、本発明の単なる例示に過ぎず、何ら本発明を限定するものではないことに留意されたい。本発明の要旨を逸脱することなく、特定用途に応じて種々の変形変更が可能であること、当業者には容易に理解できよう。
【図面の簡単な説明】
【００５５】
【図１】本発明による多機能電話機の一構成例を示すブロック図である。
【図２】本発明による多機能電話機におけるシステムデータの初期化動作の一例を説明するための概念図である。
【図３】本発明による多機能電話機のシステムデータの一例を示す模式図である。
【符号の説明】
【００５６】
１      外線回路
１０    多機能電話機
１０１，１０２，・・・，１０ｌ    外線
２      内線回路
２０１，２０２，・・・，２０ｋ    内線電話機
２１    表示部
２２    テンキー
２３    機能ボタン
２３ａ  サービス表示ボタン
２３ｂ  サービス更新ボタン
２３ｃ  サービス初期化ボタン
２３ｄ  サービス削除ボタン
２３ｅ  メニュー選択ボタン
２３ｆ  決定ボタン
２４    ＬＥＤランプ
２５    ハンドセット
３      通話路スイッチ
４      ＣＰＵ
５      ＲＯＭ
５ａ１，５ａ２，・・・，５ａｎ    システムフォルダ１，２，・・・，ｎ
６      データメモリ
６ａ１，６ａ２，・・・，６ａｎ    システムデータ１，２，・・・，ｎ
７      システムバス
【図１】
2006352439.tif 000003
【図２】
2006352439.tif 000004
【図３】
2006352439.tif 000005